(57)【要約】  第１の位置において第１の方向を指向し、塞栓を受ける口部と、前記第１の方向とは反対の第２の方向に位置する端部とを有する第１のフィルタ（１０２）と、第１の位置において前記第１の方向を指向し、塞栓を受ける口部と、前記第２の方向に位置する端部とを有する第２のフィルタ（１０４）とを備えることができ、第２のフィルタが第１のフィルタに対して着脱可能に連結される、壁を有する体内管腔で使用するための血管内フィルタアセンブリ。
2008532621.tif 000002
【特許請求の範囲】
【請求項１】
第１の位置において第１の方向を指向する、塞栓を受ける口部と、前記第１の方向とは反対の第２の方向に位置する端部とを有する第１のフィルタと、
第１の位置において前記第１の方向を指向する、塞栓を受ける口部と、前記第２の方向に位置する端部とを有する第２のフィルタと
を備え、前記第２のフィルタが前記第１のフィルタに対して着脱可能に連結される、壁を有する体内管腔で使用するための血管内フィルタアセンブリ。
【請求項２】
前記第１のフィルタが、前記第１のフィルタを体内管腔壁に対して保持するアンカー部材を有する、請求項１に記載の血管内フィルタアセンブリ。
【請求項３】
前記第２のフィルタの端部が、前記第１のフィルタの口部から見て前記第１の方向に位置する、請求項１に記載の血管内フィルタアセンブリ。
【請求項４】
前記第２のフィルタの端部が、前記第１のフィルタの口部から見て前記第２の方向に位置する、請求項１に記載の血管内フィルタアセンブリ。
【請求項５】
前記第１のフィルタがキャビティを備え、前記第２のフィルタの端部が、前記第１のフィルタのキャビティ内に配置される、請求項１に記載の血管内フィルタアセンブリ。
【請求項６】
前記第１のフィルタが、第１の組の複数のラジアル角度にて径方向外側に延びる第１の組の複数の脚部を有し、前記第２のフィルタが、前記第１の組の複数のラジアル角度にて径方向外側に延びる第２の組の複数の脚部を有する、請求項１に記載の血管内フィルタアセンブリ。
【請求項７】
前記第１のフィルタが、第１の組の複数のラジアル角度にて径方向外側に延びる第１の組の複数の脚部を有し、前記第２のフィルタが、前記第１の組の複数のラジアル角度とは異なる第２の組の複数のラジアル角度にて径方向外側に延びる第２の組の複数の脚部を有する、請求項１に記載の血管内フィルタアセンブリ。
【請求項８】
前記第１のフィルタが、第１の組の複数の脚部を有し、前記第２のフィルタが、前記第１の組の複数の脚部から径方向にずらして配置される第２の組の複数の脚部を有する、請求項１に記載の血管内フィルタアセンブリ。
【請求項９】
前記第１のフィルタが、拘束されていないときには第１の径方向範囲を有し、前記第２のフィルタが、拘束されていないときには前記第１の径方向範囲よりも小さな第２の径方向範囲を有する、請求項１に記載の血管内フィルタアセンブリ。
【請求項１０】
前記第２のフィルタが、前記体内管腔壁の径方向範囲よりも小さな径方向範囲を有するように構成される、請求項９に記載の血管内フィルタアセンブリ。
【請求項１１】
前記第２のフィルタが、前記体内管腔壁上に支持されるように構成された端部を有する、請求項１に記載の血管内フィルタアセンブリ。
【請求項１２】
前記第２のフィルタが内側に湾曲する端部を有する、請求項１１に記載の血管内フィルタアセンブリ。
【請求項１３】
前記第２のフィルタが、前記体内管腔壁に対して平らに横たわるように構成される端部を有する、請求項１１に記載の血管内フィルタアセンブリ。
【請求項１４】
前記第２のフィルタが、該第２のフィルタが前記第１の方向に牽引されたときに前記体内管腔壁から離れるように構成されたフックを有する、請求項１１に記載の血管内フィルタアセンブリ。
【請求項１５】
前記第２のフィルタから見て前記第１の方向に配置され、かつ前記第２のフィルタに対して着脱可能に連結された第３のフィルタをさらに備える、請求項１に記載の血管内フィルタアセンブリ。
【請求項１６】
前記第１のフィルタが中心長手部材を備え、前記第２のフィルタが、該中心長手部材に対して着脱可能に連結される、請求項１に記載の血管内フィルタアセンブリ。
【請求項１７】
前記第２のフィルタが、前記中心長手部材上に配置するための、前記端部に近接したリングを備える、請求項１６に記載の血管内フィルタアセンブリ。
【請求項１８】
前記中心長手部材が、前記第１の方向に向かって細くなるテーパ部を有する、請求項１６に記載の血管内フィルタアセンブリ。
【請求項１９】
前記中心長手部材が、前記第１の方向に断面積が減少する階段状断面積縮小部を有する、請求項１６に記載の血管内フィルタアセンブリ。
【請求項２０】
前記第２のフィルタが中心長手部材を備え、該中心長手部材が前記第１のフィルタに対して着脱可能に連結される、請求項１に記載の血管内フィルタアセンブリ。
【請求項２１】
前記第１のフィルタが、長手方向に延びる第１の長尺状中心部材を備え、前記第２のフィルタが、該第１の長尺状中心部材に対して着脱可能に連結された、長手方向に延びる第２の中心部材を備える、請求項１に記載の血管内フィルタアセンブリ。
【請求項２２】
前記第２のフィルタが、後退部材と接合するための要素を備える、請求項１に記載の血管内フィルタアセンブリ。
【請求項２３】
前記要素がつまみである、請求項２２に記載の血管内フィルタアセンブリ。
【請求項２４】
前記要素がループである、請求項２２に記載の血管内フィルタアセンブリ。
【請求項２５】
前記要素がフックである、請求項２２に記載の血管内フィルタアセンブリ。
【請求項２６】
前記要素がねじ山である、請求項２２に記載の血管内フィルタアセンブリ。
【請求項２７】
前記第２のフィルタが、前記フィルタを圧縮状態へ移行させる機構を備える、請求項１に記載の血管内フィルタアセンブリ。
【請求項２８】
前記機構が１つもしくは複数のアクチュエータである、請求項２７に記載の血管内フィルタアセンブリ。
【請求項２９】
前記機構が、前記口部に近接して前記第２のフィルタに連結されたループである、請求項２７に記載の血管内フィルタアセンブリ。
【請求項３０】
前記ループが、その一部分を牽引することによって狭められるように構成される、請求項２９に記載の血管内フィルタアセンブリ。
【請求項３１】
前記第２のフィルタが、前記第１のフィルタのキャビティ内に少なくとも部分的に入れ子状に配置され、前記第１のフィルタが、該第１のフィルタの端部から口部まで延びる３本の脚部を備え、前記第２のフィルタが、該第２のフィルタの端部から口部まで延びる３本の脚部を備える、請求項１に記載の血管内フィルタアセンブリ。
【請求項３２】
前記第２のフィルタの脚部が、前記第１のフィルタの脚部から径方向にずらして配置される、請求項３１に記載の血管内フィルタアセンブリ。
【請求項３３】
前記第１のフィルタが３本以下の脚部を備え、かつ前記第２のフィルタが３本以下の脚部を備える、請求項３１に記載の血管内フィルタアセンブリ。
【請求項３４】
前記第１のフィルタが４本以下の脚部を備え、かつ前記第２のフィルタが４本以下の脚部を備える、請求項３１に記載の血管内フィルタアセンブリ。
【請求項３５】
前記第２のフィルタが、前記第１のフィルタの口部から見て前記第１の方向に位置し、前記第１のフィルタが、該第１のフィルタの端部から口部まで延びる５本の脚部を備え、前記第２のフィルタが、該第２のフィルタの端部から口部まで延びる５本の脚部を備える、請求項１に記載の血管内フィルタアセンブリ。
【請求項３６】
前記第１のフィルタが６本の脚部を備え、かつ前記第２のフィルタが６本の脚部を備える、請求項３５に記載の血管内フィルタアセンブリ。
【請求項３７】
口部と、塞栓を受けるキャビティと、アンカー部材とを有する第１のフィルタと、前記アンカー部材は第１のフィルタを体内管腔壁に固定することと、
口部と、塞栓を受けるキャビティとを有する第２のフィルタと
を備え、前記第１のフィルタ及び第２のフィルタが、互いに対して着脱可能に連結されるように構成される、血管内フィルタキット。
【請求項３８】
口部とキャビティとを有する第３のフィルタをさらに備え、該第３のフィルタ及び前記第１のフィルタが、互いに対して着脱可能に連結されるように構成される、請求項３１に記載のキット。
【請求項３９】
前記第２のフィルタが、前記第１のフィルタのキャビティ内に少なくとも部分的に入れ子状に配置されるように構成される、請求項３１に記載のキット。
【発明の詳細な説明】
【技術分野】
【０００１】
本発明は、塞栓の防止に関する。より詳細には、本発明は、塞栓防止フィルタと、その製造方法とに関する。
【背景技術】
【０００２】
医療行為では、医師が患者の血管系内にフィルタを留置することが望ましくなる状況がいくつも存在する。血管フィルタの最も一般的な用途の１つは、深部静脈血栓症（ＤＶＴ）の治療である。深部静脈血栓症患者は、身体下部の大きな静脈で血液の凝固を起こす。これらの患者は、常に、凝血塊が遊離して、下大静脈を経て心臓及び肺へと流れる危険にさらされている。この過程は、肺塞栓として知られる。肺塞栓は、しばしば、例えば大きな凝血塊が生命を維持する心臓のポンプ作用を妨げるときに、致命的となり得るおそれがある。凝血塊が心臓を通過する場合、その凝血塊は、肺へと送り出され、肺動脈の閉塞を引き起こすことがある。肺におけるこのタイプの閉塞は、血液の酸素化を妨げて、ショック状態又は死を引き起こすことになる。
【０００３】
肺塞栓は、患者の身体の血管系内に血栓フィルタを適切に留置することによってうまく防ぐことができる。フィルタの留置は、全身麻酔下で患者に開腹術を行うことによって達成することができる。ただし、患者の血管系内に血栓フィルタを留置する方法としては、静脈内挿入が好ましい方法であることが多い。
【０００４】
血栓フィルタの静脈内挿入は、侵襲性が低く、局所麻酔のみを必要とする。この処置では、血栓フィルタが搬送カテーテル内で圧潰される。搬送カテーテルは、医師にとって都合の良い箇所において患者の血管系に導入される。次いで、搬送カテーテルは、フィルタ留置に望ましい位置に到達するまで、さらに血管系内に送り込まれる。次いで、血栓フィルタが搬送カテーテルから血管内に放出される。
【０００５】
深部静脈血栓症の治療では、血栓フィルタが患者の下大静脈内に留置される。下大静脈は、血液を身体の下部から心臓へと戻す大きな血管である。下大静脈は、患者の大腿静脈又は頸静脈を通じてアクセスすることができる。
【０００６】
深部静脈血栓症以外の病状を治療するときには、血栓フィルタを他の場所に留置することができる。例えば、凝血塊が身体の上部から心臓及び肺に近づくと予想される場合、血栓フィルタを上大静脈内に配置することができる。上大静脈は、血液を身体の上部から心臓へと戻す大きな血管である。上大静脈も、やはり頸静脈又は大腿静脈を通じてアクセスすることができる。
【０００７】
血管内部に留置された後には、血栓フィルタは、凝血塊を補足して保持する働きをする。捕捉された凝固塊の周りの血液の流れによって、生体の溶解過程が凝固塊を溶解させる。
【０００８】
当該技術分野では、血栓フィルタが医師によって所望の位置に留置された後にフィルタ位置が変わることは望ましくないと認識されている。フィルタが血管の管腔内で緩みを生じると、そのフィルタは、血栓を捕捉する上で効果のない位置に移動するおそれがある。あるいは、またより深刻には、緩んだ血栓フィルタが、危険な又は生命を脅かす位置に移動するおそれもある。従来技術のフィルタは、血管壁に貫入するアンカー部材を含めることによって、この懸念に対処してきた。
【発明の開示】
【発明が解決しようとする課題】
【０００９】
血管壁は、内膜又は内皮とも呼ばれる薄い内側の膜でその内側が覆われている。この内側の膜が血栓フィルタ等の異物によって損傷を受けると、身体は、新生内膜過形成と呼ばれる過程で反応する。その結果、内側の膜の損傷した領域には、多数の新しい細胞が異常増殖する。血栓フィルタのアンカー部分は、時に内皮増殖とも呼ばれる新たに増殖した細胞に被包される。アンカー部分が被包された後にフィルタを除去すると、血管壁に損傷を生じさせることがある。ゆえに、望ましい特性及び特徴を有する医療器具を製造及び使用する代替的な設計ならびに方法を提供することが、現在必要とされている。
【課題を解決するための手段】
【００１０】
本発明の一実施形態は、互いに対して着脱可能に連結された２つ以上のフィルタを含む体内フィルタアセンブリに関する。１つのフィルタは、フィルタを血管壁に固定するアンカー部材を有することができる。第２のフィルタは、第１のフィルタに対して着脱可能に連結することができ、また、血管壁に支えられるように構成された端部を有することができる。例えば、第１のフィルタは、中央部分から延びるテーパ付き長尺状部材を有することができ、第２のフィルタは、この長尺状部材の端部を受承するための管腔を有することができる。端部は、血管壁に被包される可能性を低減するために、幅広に形成されてもよく、あるいは内側に湾曲していてもよい。第２のフィルタは、また、圧潰して除去するために第２のフィルタを把持可能なフック又は他の機構を有することができる。第２のフィルタは、第１のフィルタから離間させることができる。第１のフィルタ及び第２のフィルタは、フィルタリングのための長尺状脚部を備えることができる。第２のフィルタの脚部は、第１のフィルタの脚部から径方向にずらして配置することができる。
【００１１】
本発明の別の実施形態は、長尺状部材によって互いに対して着脱可能に連結される２つ以上のフィルタを含む体内フィルタアセンブリに関する。第１のフィルタは、アセンブリを血管壁に連結するアンカー部材を有することができる。第２のフィルタ以降のフィルタは、設置されたときに血管壁に接触しないように構成することができる。フィルタ同士は、離間させてもよく、あるいはより密接に積み重ねることもできる。
【００１２】
本発明の別の実施形態は、積み重ねられた２つ以上のフィルタを含む体内フィルタアセンブリに関する。第１のフィルタは、フィルタを血管壁に固定するアンカー部材を含むことができる。第２のフィルタ及び第３のフィルタは、第１のフィルタのキャビティ内に置いて、血流によって適位に保持することができる。
【００１３】
別の実施形態は、体内フィルタを使用する方法に関する。例えば、第１のフィルタが体内管腔の壁に固定されるように、３つのフィルタを有するフィルタアセンブリを体内管腔内に設置することができる。フィルタ、主に第３のフィルタが、塞栓を補足する。回収カテーテルが管腔に挿入され、第１及び第２のフィルタを残したまま、第３のフィルタが圧潰されて回収される。所望される場合には、第２のフィルタを同様の方式で回収することができる。
【００１４】
別の実施形態は、方法に関する。
いくつかの実施形態について記載した上記概要は、開示される各実施形態又は本発明のあらゆる実施について記載することを意図したものではない。以下の図面及び詳細な説明は、これらの実施形態をより詳細に例示するものである。
【００１５】
本発明は、本発明の様々な実施形態についての以下の詳細な説明を添付図面と併せて考慮すれば、より完全に理解することができる。
【発明を実施するための最良の形態】
【００１６】
以下の説明は、図面を参照して読むべきであり、異なる図面中の類似要素には、同様の方式で符号が付されている。図面は、必ずしも寸法比率が等しいものではなく、選択された実施形態を描いたものであり、本発明の範囲を限定することを意図したものではない。構造、寸法、及び材料の例が様々な要素について示されるが、当業者であれば、提示される例の多くに好適な代替形態が存在することが認識されよう。
【００１７】
図１は、体内フィルタアセンブリ１００の斜視図である。アセンブリ１００は、例示的な実施形態の他のアセンブリと同様に血管内フィルタとして描かれているが、本発明は、血管内フィルタ以外の体内フィルタでの使用にも適している。アセンブリ１００は、第１のフィルタ１０２と第２のフィルタ１０４とを備える。フィルタ１０２及び１０４は、長尺状部材１０６によって着脱可能に連結される。フィルタ１０２及び１０４は、グリーンフィールド（Ｇｒｅｅｎｆｉｅｌｄ）型のフィルタとして描かれている。本発明は、広範なフィルタ構成に適しており、この特定のフィルタ型のみに限定されるものとして解釈すべきではない。フィルタ１０２及び１０４は、５本脚のフィルタとして描かれている。他の本数の脚部も好適であり、本願において企図されるものである。例えば、フィルタ１０２は、３本、６本、又は８本の脚部を備えることができ、またフィルタ１０４とは異なる本数の脚部を有することができる。フィルタ１０２は、頂頭部１０６と、該頂頭部１０６から径方向外側にかつ第１の長手方向に延びる脚部１０８と、アンカー部材１１０とを備える。アンカー部材１１０は、フックとして描かれているが、当業者に既知の好適なアンカー部材とすることができる。アンカー部材１１０は、フィルタ１０２を体内管腔壁に対して保持するように構成される。フィルタ１０４は、頂端リング１１２と、該頂端リング１１２から径方向外側にかつ第１の方向に延びてその末端において端部１１６を有する脚部１１４とを備える。端部１１６は、被包形成を誘発せずに体内管腔の壁に支えられるように構成される。したがって、端部１１６は非外傷性であり、図示される構成においては内側に湾曲している。端部１１６は、場合に応じて、フィルタ１０４の抜去を補助するためのフックを備える。端部１１６は、新生内膜過形成を低減するために、治療薬でコーティングしてもよい。
【００１８】
長尺状部材１０６は、頂頭部１０６においてフィルタ１０２に連結され、フィルタ１０４の頂端リング１１２を通過する。長尺状部材１０６は、ストップ部材１１８を備えることができ、またさらにテーパ部１２０も含むことができる。ストップ部材１１８を使用して、フィルタ１０４を位置決めすることができる。適している可能性のある他の構造には、例えば、長尺状部材に設けられた階段状縮径部又は緩やかなテーパが含まれる。これに代えて、弱い接着剤によってフィルタ１０４を長尺状部材１０６に固定してもよい。
【００１９】
フィルタ１０２及び１０４は、フィルタ１０４がフィルタ１０２の口部から見て第１の方向に位置するように、離間された状態で描かれている。他の構成についても企図されるものであり、フィルタ同士をさらに離間させることも、互いに近づけることもできる。例えば、長尺状部材１０６をすることができ、フィルタ１０４をフィルタ１０２の口部内に位置決めすることができる。フィルタ１０２の脚部は、第１のラジアル角度で描かれており、フィルタ１０４の脚部は、第１のラジアル角度とは異なる第２のラジアル角度で描かれている。これが望ましい場合がある。あるいは、両方の脚部の組を、同一のラジアル角度とすることもできる。
【００２０】
アセンブリ１００は、ステンレス鋼やニッケルチタン合金等の金属から作製することができる。フィルタ全体又はフィルタの一部での使用に適している可能性のある他の金属には、金、タンタル、タングステン、チタン、βＩＩＩチタン、ニチノール、コバルト−クロム合金、エルジロイ（登録商標）、Ｌ６０５、ＭＰ３５Ｎ（登録商標）、Ｔａ−１０Ｗ、１７−４ＰＨ、又はエアロメット１００（Ａｅｒｏｍｅｔ  １００）が含まれる。同様に、熱硬化性樹脂や熱可塑性ポリマー等の特定のポリマーも適している可能性がある。フィルタ脚部は、図示される構造を形成するように加工可能なワイヤ、ロッド、管状体、又は他の構造から形成することができる。
【００２１】
図１では、２つのフィルタが示されている。企図されるいくつかの実施形態では、３つ以上のフィルタをアセンブリに含めることができ、体内フィルタアセンブリ２００の概略側面図である図２に示すように、各フィルタが、その隣のフィルタに対して着脱可能に連結される。図２の各フィルタは、２本の脚部のみで描かれているが、任意の本数の脚部を有することができる。例えば、各フィルタは４本の脚部を有することができる。アセンブリ２００は、第１のフィルタ２０２と、第２のフィルタ２０４と、第３のフィルタ２０６と、長尺状部材２０８とを備える。フィルタ２０２は、頂頭部２１２と、脚部２１４と、フィルタを体内管腔壁に固定するアンカー部材２１６とを備える。長尺状部材２０８は、頂頭部２１２に連結される。長尺状部材２０８は、２つの階段状縮径部を有しており、これらの上にフィルタ２０４及び２０６が配置される。フィルタ２０４及び２０６は、長尺状部材に対して着脱可能に連結される。例えば、それらのフィルタは、階段状縮径部に当接させてもよく、あるいは弱い接着剤によって接着してもよい。第１の階段状縮径部には、フィルタ２０４の頂端リング２１８が配置される。フィルタ２０４は、脚部２２０及び非外傷性端部２２２も備える。長尺状部材の第２の階段状縮径部には、フィルタ２０６の頂端リング２２４が配置される。フィルタ２０６は、脚部２２６及び非外傷性端部２２８も備える。フィルタ２０２、２０４、及び２０６は、同一の構成を有するものとして描かれている。しかしながら、所望に応じて様々なフィルタタイプを使用することができる。フィルタ２０４及び２０６は、フィルタ２０２から離間されており、フィルタ２０６は、フィルタ２０４内に入れ子状に配置される。所望により、フィルタを異なる様式で離間させることができる。さらに、所望に応じて、より多数の又はより少数のフィルタを使用することができ、それに応じて長尺状部材を構成することができる。
【００２２】
図３は、第１のフィルタ３０２と、第２のフィルタ３０４と、長尺状部材３０６とを備える体内フィルタアセンブリ３００の概略図である。フィルタ３０２は、頂端リング３０８と、脚部３１０と、アンカー部材３１２とを備える。フィルタ３０４は、頂端リング３１４と、脚部３１６と、非外傷性部材３１８とを備える。長尺状部材３０６は、フィルタ３０２に連結され、テーパ部３２０と、階段状拡径部３２２と、キャビティ３２４とを備えることができる。キャビティは、同様の長尺状部材の先端を受承するような形状を有する。長尺状部材３０６は、頂端リング３０８内に受承され、階段状拡径部によってそれ以上の貫入が防止される。キャビティによって、後続のフィルタ３０４及び長尺状部材３０６をアセンブリに追加することができる。
【００２３】
図４は、第１のフィルタ４０２と、第２のフィルタ４０４と、第３のフィルタ４０６と、長尺状部材４０８とを備える体内フィルタアセンブリ４００の概略図である。フィルタ４０２は、頂頭部４１０と、脚部４１２と、アンカー部材４１４とを備える。フィルタ４０４は、頂頭部４１６と脚部４１８とを備え、フィルタ４０６は、頂頭部４２０と脚部４２２とを備える。フィルタ４０２は、アンカー部材４１４が体内管腔壁と係合するような寸法の第１の直径を有する。フィルタ４０４及び４０６は、それらのフィルタが体内管腔壁と接触しないような寸法の第２の直径を有する。あるいは、フィルタ４０４及び４０６は、それらのフィルタが体内管腔壁に軽く触れる程度の寸法を有する。長尺状部材４０８は、フィルタ４０２に連結され、フィルタ４０４及び４０６を受承する。フィルタ４０２及び長尺状部材４０８の概略側面図である図５を見れば分かるように、長尺状部材は、フィルタ４０４及び４０６の頂頭部を受承するためのキャビティを形成する２つの可撓性フィンガ４２４を備えており、フィルタ４０４及び４０６の頂頭部は、長尺状部材内に押し込まれると、これらフィルタをフィルタ４０２に対して着脱可能に連結することができる。
【００２４】
図６は、フィルタ５０２、５０４、及び５０６を備える体内フィルタアセンブリ５００の概略図である。フィルタ５０２は、脚部５０８とアンカー部材５１０とを備える。フィルタ５０４及び５０６は、フィルタ５０２の内側に密接して入れ子状に配置され、フィルタ５０４及び５０６のばね力によって、又は弱い接着剤によって、又は血流の方向によって、適位に保持され得る。各フィルタ５０２、５０４、及び５０６は、３本の脚部だけを含むこともでき、又は他の好適な本数の脚部を含むこともできる。また、脚部の各組が他の組とは異なるラジアル角度をなすようにしてもよい。
【００２５】
図７は、搬送装置内に装着された体内フィルタアセンブリ６００の概略図である。アセンブリ６００は、第１のフィルタ６０２と、第２のフィルタ６０４と、第１のフィルタから延びる長尺状部材６０６とを備え、長尺状部材６０６上には第２のフィルタ６０４が取外し可能に配置される。フィルタ６０２は、頂頭部６０８と、脚部６１０と、アンカー部材６１２とを備え、フィルタ６０４は、頂端リング６１４と、脚部６１６と、非外傷性端部６１８とを備える。脚部６１０及び６１８は、搬送カテーテル６２０によって搬送形態をとるように圧縮される。搬送システムは、また、押出機構６２２を備えることができ、該押出機構は、図示されるように長尺状部材に対して作用を及ぼしてもよく、又は非外傷性端部６１８に対して作用を及ぼしてもよい。図８に示すように、アセンブリは、搬送装置から展開される。これは、押出機構６２２の前進によって、又は搬送カテーテル６２０の後退によって引き起こされ得る。アセンブリ６００が搬送カテーテルを離脱すると、脚部６１０及び６１８はその展開形態へと拡張する。アンカー部材６１２は血管壁と係合し、非外傷性端部は血管壁に支持される。搬送装置が後退させられるとアセンブリ６００が展開され、塞栓をろ過する。
【００２６】
フィルタ６０４を除去することが望ましい場合、例えば、フィルタが塞栓で満たされた場合、フィルタ６０４がアセンブリ６００から引き戻される様子を示す概略図である図９に示されるように、フィルタを後退させることができる。回収装置６２６は、非外傷性端部６１８の端部上のフックと係合させるためのフックをアーム６２８上に有する。カテーテル６３０は、前進させられるにつれて回収装置６２６のアームを圧縮するような寸法を有する。ゆえに、回収のためにフィルタ６０４を圧縮することができる。フィルタ６０４の回収準備ができたら、フィルタ６０４を長尺状部材６０６から引き離してカテーテル６３２内に進入させ、体内から抜去することができる。これは回収機構の一例にすぎない。他の回収機構も使用することができ、フィルタは、回収機構と係合するための他の構造を含むことができる。例えば、フィルタ６０４は、アーム６１６に対して摺動可能に連結されたループを備えることができ、ループが牽引されるときには該ループがアームを一緒に牽引する。
【００２７】
フィルタ６０４を新しいフィルタと交換することが望ましい場合がある。図１０は、長尺状部材６０６に近接した位置まで前進させられた搬送装置内に装着されたフィルタ６０４の概略図である。搬送装置は、カテーテル６３４と押出具６３６とを備える。フィルタ６０４が適位に配置されると、押出具６３６は、長尺状部材６０６上にフィルタ６０４を前進させる。カテーテル６３４を後退させて、フィルタ６０４をばね力により所定の位置に配置することができる。次いで、同様に、押出具６３６も後退させることができる。
【００２８】
以上の説明において、本願に記載される本発明の多数の利点について述べた。しかしながら、この開示が多くの点において例示的なものにすぎないことは理解されよう。本発明の範囲を逸脱することなく、詳細、特に部品の形状、寸法、及び構成に関して変更を加えることができる。本発明の範囲は、当然ながら、添付の特許請求の範囲に記載される文言において定義される。
【図面の簡単な説明】
【００２９】
【図１】体内フィルタアセンブリ１００の斜視図。
【図２】体内フィルタアセンブリ２００の概略図。
【図３】体内フィルタアセンブリ３００の概略図。
【図４】体内フィルタアセンブリ４００の概略図。
【図５】アセンブリ４００のフィルタ４０２の概略図。
【図６】体内フィルタアセンブリ５００の概略図。
【図７】搬送装置内に装着された体内フィルタアセンブリ６００の概略図。
【図８】アセンブリ６００が体内管腔内に設置される様子を示す概略図。
【図９】フィルタ６０４がアセンブリ６００から後退させられる様子を示す概略図。
【図１０】搬送装置内に装着されたフィルタ６０４の概略図。
【図１】
2008532621.tif 000003
【図２】
2008532621.tif 000004
【図３】
2008532621.tif 000005
【図４】
2008532621.tif 000006
【図５】
2008532621.tif 000007
【図６】
2008532621.tif 000008
【図７】
2008532621.tif 000009
【図８】
2008532621.tif 000010
【図９】
2008532621.tif 000011
【図１０】
2008532621.tif 000012
【国際調査報告】
2008532621.tif 000013
2008532621.tif 000014
2008532621.tif 000015